(57)【要約】【課題】歩道面を従来より明るく照らすことができ、しかも、煩雑な製作工程を要することなく簡便に製作し得るようにした動く歩道の照明装置を提供する。【解決手段】動く歩道の照明装置２２に関し、歩道面の幅方向両側で起立する欄干５の下部構造を成すスカート１３内に光源として蛍光燈２３を設けると共に、該蛍光燈２３に近い前記スカート１３の内側側面（内スカート１１Ｂ）の一部を透光性素材からなる窓部２４として形成し、該窓部２４を透過した前記蛍光燈２３の光で歩道面が照らされるように構成する。【選択図】　　　　図１
2004018259.tif 000002
【特許請求の範囲】
【請求項１】
歩道面の幅方向両側で起立する欄干の下部構造を成すスカート内に光源を設けると共に、該光源に近い前記スカートの内側側面の一部を透光性素材からなる窓部として形成し、該窓部を透過した前記光源の光で歩道面が照らされるように構成したことを特徴とする動く歩道の照明装置。
【発明の詳細な説明】
【０００１】
【発明の属する技術分野】
本発明は、動く歩道の照明装置に関するものである。
【０００２】
【従来の技術】
図３及び図４は従来の動く歩道の一例を示すものであり、ここに図示している例では、乗り口Ａから降り口Ｂへ向かって延びる架構１と、該架構１の長手方向両端部分に水平に枢支した上流側プーリ２及び下流側プーリ３と、双方のプーリ２，３に巻き掛けられ且つ連続した歩道面を形成する無端状の搬送ベルト４と、該搬送ベルト４のキャリヤ側移動経路が成す歩道面の幅方向両側で起立する欄干５と、キャリヤ側移動経路及びリターン側移動経路に位置している搬送ベルト４を下方から支持するように架構１に枢支したローラ６，７とを備えて構成されている。
【０００３】
乗り口Ａから降り口Ｂへ向かって延びる架構１は、乗り口Ａと降り口Ｂとを結ぶ一体構造の躯体８に形成したピット９内に組み込まれており、架構１長手方向に所定間隔で定めた複数の支持点Ｐで、固定脚１０を介して躯体８に固着されている。
【０００４】
更に、前記架構１には、下流側プーリ３を駆動して搬送ベルト４を周回させる駆動機構、並びに搬送ベルト４に対して張力を付与するテイクアップ機構（いずれも図示せず）が装備されている。尚、前記搬送ベルト４は、ゴム系材料を主体として形成されていて適度な可撓性を具備している。
【０００５】
また、歩道面の幅方向両側で起立する欄干５は、搬送ベルト４のキャリヤ側移動経路に沿い且つピット９開口の左右内縁部分に当接するようにブラケット（図示せず）を介して架構１に取り付けた外スカート１１Ａと、上縁部分が搬送ベルト４に搭乗する利用者の腰程度の高さに位置するように外スカート１１Ａの略全長にわたって取り付けた強化ガラス板よりなる腰板１２と、下縁部分が搬送ベルト４の上面左右縁部分へ向かって突出するように腰板１２の略全長にわたって取り付けた内スカート１１Ｂ（以下の説明では外スカート１１Ａと内スカート１１Ｂとからなる欄干５の下部構造をスカート１３として総称する）と、搬送ベルト４の上面との間に微小な空隙を形成するように内スカート１１Ｂの略全長にわたってボルト締結した調整スカート１４と、乗り口Ａ側から降り口Ｂ側へ向かって腰板１２上縁部分を縦通するデッキフレーム１５と、該デッキフレーム１５の上面に沿って取り付けたガイドレール１６とにより構成されている。
【０００６】
また、前記欄干５には、駆動機構（図示せず）によりガイドレール１６で案内されつつ、デッキフレーム１５上方のキャリヤ側移動経路、及び腰板１２下方のリターン側移動経路を周回する手摺ベルト１７が装着されている。尚、手摺ベルト１７は、ゴム系材料を主体として形成されていて適度な可撓性を具備している。
【０００７】
そして、このような動く歩道においては、搬送ベルト４と手摺ベルト１７の双方を、それらのキャリヤ側移動経路に位置している部分が乗り口Ａ側から降り口Ｂ側へ向かって進むように等速で周回されるようにしてあり、乗り口Ａから歩道面に乗り込んだ利用者が連続的に降り口Ｂへと運搬されるようになっている。
【０００８】
【発明が解決しようとする課題】
しかしながら、前述した如き従来の動く歩道においては、図３及び図４に示す如く、欄干５の上端部におけるデッキフレーム１５下面に照明装置１８を取り付けていたため、照度の高い照明装置１８を使用しないと、利用者の足元の歩道面まで十分に光が届かないという不具合があった。
【０００９】
また、特に図５に拡大して示す如く、利用者の目に留まり易いデッキフレーム１５の下面に照明装置１８を取り付けるにあたっては、ただ単に蛍光燈１９をそのまま配置するのではなく、これを意匠的な工夫を凝らしたホルダ２０と透光性のカバー２１とで被包して外観を美しく整える必要があったため、製作工程が煩雑になるという不具合もあった。
【００１０】
本発明は上述の実情に鑑みてなしたもので、歩道面を従来より明るく照らすことができ、しかも、煩雑な製作工程を要することなく簡便に製作し得るようにした動く歩道の照明装置を提供することを目的としている。
【００１１】
【課題を解決するための手段】
本発明は、歩道面の幅方向両側で起立する欄干の下部構造を成すスカート内に光源を設けると共に、該光源に近い前記スカートの内側側面の一部を透光性素材からなる窓部として形成し、該窓部を透過した前記光源の光で歩道面が照らされるように構成したことを特徴とする動く歩道の照明装置、に係るものである。
【００１２】
従って、本発明では、歩道面に乗り込んだ利用者の足元近くに照明装置が配置されることになり、スカートに内蔵した光源の光が窓部から歩道面に良好に照らされる結果、格別に照度の高い光源を用いなくても歩道面を十分明るく照らすことが可能となる。
【００１３】
また、光源自体がスカートに内蔵されることになるので、この光源の保持構造に関して特に意匠的な工夫を凝らさなくても済み、しかも、スカートの内側側面の一部に開けた開口部を透光性素材の板で内部側から塞いで窓部とするだけで簡単に外観を美しく整えることが可能となる。
【００１４】
【発明の実施の形態】
以下本発明の実施の形態を図面を参照しつつ説明する。
【００１５】
図１及び図２は本発明を実施する形態の一例を示すもので、図３〜図５と同一の符号を付した部分は同一物を表わしている。
【００１６】
本形態例の動く歩道の照明装置２２においては、欄干５の下部構造を成すスカート１３内における歩道面に近い側に、光源として蛍光燈２３を装備してホルダ２５により通電可能に支持せしめてあり、該ホルダ２５は、スカート１３内に固定されたアングル材２６に取り付けられている。
【００１７】
更に、この蛍光燈２３に近い前記スカート１３の内側側面を成す内スカート１１Ｂの一部には、アクリル樹脂等の透光性素材からなる窓部２４が歩道面の移動方向に長く形成されており、該窓部２４を透過した前記蛍光燈２３の光で歩道面が照らされるようになっている。
【００１８】
而して、このよう照明装置２２を動く歩道に採用すれば、歩道面に乗り込んだ利用者の足元近くに照明装置２２が配置されることになり、スカート１３に内蔵した蛍光燈２３の光が窓部２４から歩道面に良好に照らされる結果、格別に照度の高い蛍光燈２３を用いなくても歩道面を十分明るく照らすことが可能となる。
【００１９】
また、蛍光燈２３自体がスカート１３に内蔵されることになるので、この蛍光燈２３の保持構造、即ち、ホルダ２５やアングル材２６等に関して特に意匠的な工夫を凝らさなくても済み、しかも、内スカート１１Ｂの一部に開けた開口部を透光性素材の板で内部側から塞いで窓部２４とするだけで簡単に外観を美しく整えることが可能となる。
【００２０】
従って、上記形態例によれば、利用者の足元近くに配置した蛍光燈２３の光により歩道面を従来より明るく照らすことができるので、動く歩道を利用する際における安全性を大幅に向上することができ、しかも、煩雑な製作工程を要することなく簡便に製作することができるので、製作上の作業負担を大幅に軽減でき且つ製作コストも著しく削減できる。
【００２１】
尚、本発明の動く歩道の照明装置は、上述の形態例にのみ限定されるものではなく、光源は蛍光燈に限定されないこと、その他、本発明の要旨を逸脱しない範囲内において種々変更を加え得ることは勿論である。
【００２２】
【発明の効果】
上記した本発明の動く歩道の照明装置によれば、利用者の足元近くに配置した光源の光により歩道面を従来より明るく照らすことができるので、動く歩道を利用する際における安全性を大幅に向上することができ、しかも、煩雑な製作工程を要することなく簡便に製作することができるので、製作上の作業負担を大幅に軽減でき且つ製作コストも著しく削減できるという優れた効果を奏し得る。
【図面の簡単な説明】
【図１】本発明を実施する形態の一例を示す正面断面図である。
【図２】図１の照明装置を側方から見た外観図である。
【図３】従来の動く歩道の全体構成を示す概念図である。
【図４】図３の動く歩道の主要構造を示す正面断面図である。
【図５】図４の照明装置の詳細を示す斜視図である。
【符号の説明】
５　　欄干
１３　　スカート
２２　　照明装置
２３　　蛍光燈（光源）
２４　　窓部
【図１】
2004018259.tif 000003
【図２】
2004018259.tif 000004
【図３】
2004018259.tif 000005
【図４】
2004018259.tif 000006
【図５】
2004018259.tif 000007